(57)【要約】  本発明は、正六面体箱作り用折り紙用紙、折り紙貯金箱及び折り紙包装箱において、長さ方向中央領域に沿って順次に相互折曲可能に連結される第１乃至第４主外壁セクションと、前記第１乃至第４主外壁セクションの横長方向両側にそれぞれ折曲可能に連結された第１乃至第４羽セクションを含んで、前記第１及び第２羽セクションと前記第３及び第４羽セクションは相互折曲可能に連結されて、前記第２及び第３羽セクションは切開線を間に置いて連接されていることを特徴とすることを技術的要旨とする。前述した本発明によれば、正六面体箱作り用折り紙用紙、折り紙貯金箱及び折り紙包装箱は別途の接着剤や道具を使わないで挟みこむ方式で使用者が容易に正六面体箱を製作することができるし、組み立てされた正六面体箱は組み立て状態を長期間堅く維持することができる。【選択図】図２
2017504539.tif 000002
【特許請求の範囲】
【請求項１】
正六面体箱作り用折り紙用紙において、
長さ方向中央領域に沿って順次に相互折曲可能に連結される第１乃至第４主外壁セクションと、
前記第１乃至第４主外壁セクションの横長方向両側にそれぞれ折曲可能に連結された第１乃至第４羽セクションを含んで、
前記第１及び第２羽セクションと前記第３及び第４羽セクションは相互折曲可能に連結されて、前記第２及び第３羽セクションは切開線を間に置いて連接されていることを特徴とする正六面体箱作り用折り紙用紙。
【請求項２】
前記第１乃至第４主外壁セクションは組み立て状態で正六面体箱の底面、背面、上面及び正面を順次に形成して、
前記第１及び第３羽セクションは組み立て状態で相互重畳されて正六面体箱の側面を形成して、
前記第２及び第４羽セクションは組み立て状態で対角線に折曲されて背面、正面及び側面のうちでいずれか一つと重畳される補強壁を形成することを特徴とする請求項１に記載の正六面体箱作り用折り紙用紙。
【請求項３】
前記第１羽セクションは前記紙用紙の終端と前記第１主外壁セクションとの切曲線が会う頂点から対角線方向に形成された内部切曲線を含んで、
前記第２羽セクションは前記第１主外壁セクションと会う頂点から対角線方向に形成された内部切曲線を含んで、
前記第４羽セクションは前記第３主外壁セクションと会う頂点から対角線方向に形成された内部切曲線を含むことを特徴とする請求項１に記載の正六面体箱作り用折り紙用紙。
【請求項４】
前記第１主外壁セクションと前記第１羽セクションの前記長さ方向エッジから長さ方向に沿って延長された延長補強部をさらに含むことを特徴とする請求項１に記載の正六面体箱作り用折り紙用紙。
【請求項５】
前記延長補強部は前記第１主外壁セクションから長さ方向に折曲可能に連結された第１正面補強セクションと、前記第１正面補強セクションに横長方向に両側に折曲可能に連結された第１羽補強セクションで構成される第１延長補強部を含むことを特徴とする請求項４に記載の正六面体箱作り用折り紙用紙。
【請求項６】
前記延長補強部は前記第１延長補強部に対して長さ方向を折曲可能に連結された第２正面補強セクションと、該第２正面補強セクションに横長方向に両側に折曲可能に連結された第２羽補強セクションで構成される第２延長補強部をさらに含んで、前記第２羽補強セクションは前記紙用紙の終端と前記第２正面補強セクションの切曲線が会う頂点から対角線方向に形成された内部切曲線を含むことを特徴とする請求項５に記載の正六面体箱作り用折り紙用紙。
【請求項７】
前記第２正面補強セクションは前記第１正面補強セクションと重畳されて、前記第２羽補強セクションは前記第１羽補強セクションと重畳されて正六面体箱の正面と側面を補強することを特徴とする請求項６に記載の正六面体箱作り用折り紙用紙。
【請求項８】
延長補強部は前記第１主外壁セクションの長さの定数倍の延長長さを有することを特徴とする請求項３に記載の正六面体箱作り用折り紙用紙。
【請求項９】
前記切開線は所定幅で切り取られていることを特徴とする請求項１に記載の正六面体箱作り用折り紙用紙。
【請求項１０】
折り紙式貯金箱において、請求項１乃至請求項９のうちで少なくとも何れか一つによって正六面体箱作り用折り紙用紙を折曲して組立てたことを特徴とする折り紙式貯金箱。
【請求項１１】
折り紙式包装箱において、
請求項１乃至請求項９のうちで少なくとも何れか一つによって正六面体箱作り用折り紙用紙を折曲して組立てたことを特徴とする折り紙式包装箱。
【発明の詳細な説明】
【技術分野】
【０００１】
本発明は、正六面体箱作り用折り紙用紙、折り紙貯金箱及び折り紙包装箱に関するものである。
【背景技術】
【０００２】
チラシや教育用パンフレットを折り紙して貯金箱や包装箱のような正六面体箱で作って子供たちが楽しく教育的情報を接して用紙をリサイクルできるようにしたアイディアが何種類提案されている。
【０００３】
しかし、これら従来の正六面体箱作り用折り紙は、概して別途の道具や接着剤を要する。また、作られた正六面体箱が比較的長期間維持されるほど充分に堅固ではないという問題もある。このような組み立て作業の困難性と構造的脆弱性のため用紙状態ではコンテンツを効率的に充分に載せ難くて情報伝達機能が脆弱であったし、組み立て後には耐久的な構造物としての形状維持が難しいので、所望の広報機能をまともに発揮することができなかった。
【発明の概要】
【発明が解決しようとする課題】
【０００４】
したがって、本発明の目的は、別途の接着剤や道具なしに容易に製作可能であると共に情報伝達機能を極大化させた正六面体箱作り用折り紙用紙、折り紙貯金箱及び折り紙包装箱を提供するものである。
【０００５】
本発明の他の目的は、作られた正六面体箱を堅固にさせて形状が維持されることができて、耐久的な広報機能を遂行することができる正六面体箱作り用折り紙用紙、折り紙貯金箱及び折り紙包装箱を提供するものである。
【課題を解決するための手段】
【０００６】
前記した目的は、正六面体箱作り用折り紙用紙において、長さ方向中央領域に沿って順次に相互折曲可能に連結される第１乃至第４主外壁セクションと、前記第１乃至第４主外壁セクションの横長方向両側にそれぞれ折曲可能に連結された第１乃至第４羽セクションを含んで、前記第１及び第２羽セクションと前記第３及び第４羽セクションは相互折曲可能に連結されて、前記第２及び第３羽セクションは切開線を間に置いて連接されていることを特徴とする正六面体箱作り用折り紙用紙によって達成される。
【０００７】
ここで、前記第１乃至第４主外壁セクションは、組み立て状態で正六面体箱の底面、背面、上面及び正面を順次に形成して、前記第１及び第３羽セクションは組み立て状態で相互重畳されて正六面体箱の側面を形成して、前記第２及び第４羽セクションは組み立て状態で対角線で折曲されて背面、正面及び側面のうちでいずれか一つと重畳される補強壁を形成することが望ましい。
【０００８】
また、前記第１主外壁セクションと前記第１羽セクションの前記長さ方向エッジから長さ方向に沿って延長された延長補強部をさらに含む場合組み立て状態で堅固性が強化されることができて望ましくて、前記延長補強部は前記第１主外壁セクションの長さの定数倍の延長長さを有することが組み立て作業を有利にするのでさらに望ましい。
【０００９】
また、前記切開線は所定幅で切り取りされていれば、別途の切り取り作業を要しないので望ましい。
【００１０】
本発明の目的は前述した正六面体箱作り用折り紙用紙を折って作った折り紙貯金箱及び折り紙包装箱によっても達成される。
【発明の効果】
【００１１】
前述した本発明によれば、正六面体箱作り用折り紙用紙、折り紙貯金箱及び折り紙包装箱は別途の接着剤や道具を使わないで挟みこむ方式で使用者が容易に正六面体箱を製作することができて、用紙内に十分なコンテンツを載せることが可能で、組み立てされた正六面体箱は組み立て状態を長期間堅く維持することができる。
【図面の簡単な説明】
【００１２】
【図１】図１は第１実施例による正六面体箱作り用折り紙用紙を示した斜視図である。
【図２】図２は第２実施例による折り紙用紙を示した斜視図である。
【図３】図３は第２実施例による折り紙正六面体箱組み立て過程を順次に示した斜視図である。
【図４】図４は折り紙用紙に製作された正六面体箱の斜視図である。
【発明を実施するための形態】
【００１３】
以下、本発明による実施例らを図面を参照して説明することにする。
図１は、本発明による正六面体箱作り用折り紙用紙１００を示した第１実施例の斜視図である。折り紙用紙１００は正四角形セクションらが３*４マトリックス形態で配列された概して直四角形の形状を有する。用紙１００は長方向中央ラインに沿って四つのセクションらが１行で連続された主外壁部１１０と、これら各主外壁部１１０の各セクションに付属する第１乃至第４羽セクション１２０、１３０、１４０、１５０でなされている。
【００１４】
主外壁部１１０は順次に第１乃至第４主外壁セクション１１１、１１２、１１３、１１４で区画されて、隣接したセクションに対して相互折曲可能になるように切曲線が介在されている。各主外壁セクション１１１、１１２、１１３、１１４の両側には第１乃至第４羽セクション１２０、１３０、１４０、１５０が配置されている。各羽セクション１２０、１３０、１４０、１５０は該当主外壁セクション１１１、１１２、１１３、１１４に対して折曲可能になるように切曲線を間に置いて連結される。
【００１５】
第１羽セクション１２０と第２羽セクション１３０との間には切曲線が用意されていて相互折曲可能であり、同様に第３羽セクション１４０と第４羽セクション１５０もそれらの間に切曲線が用意されていて相互折曲可能である。しかし、第２羽セクション１３０と第３羽セクション１４０は切開線１６０を間に置いてお互いに連接されていて切開線１６０に沿って分離される。切開線１６０は図示されたように一定の幅を有するように切り取られていることが畳み作業時に干渉を減らすことができて望ましい。しかし、切開線１６０は単純切開されているか、または使用者がはさみ、ナイフなどで切開することができるように切開線表示の形態でも構わなくて、場合によってはお針の度盛りで穿孔されて必要な時容易に切開することができるようにしても良い。
【００１６】
主外壁部１１０の第１乃至第４主外壁セクション１１１、１１２、１１３、１１４は、組み立てされた正六面体箱を示した図４を参照すれば、組み立て状態で正六面体箱４００の底面４３０、背面４４０、上面４１０及び正面４２０をそれぞれ形成する。
【００１７】
第１羽セクション１２０と第３羽セクション１４０は、組み立て状態で相互重畳されて正六面体箱４００の側面４５０を形成する。組み立て状態の第１羽セクション１２０は用紙１００の終端と第１主外壁セクション１１１との切曲線が会う頂点から対角線方向に内部折曲線１９１に沿って自体重畳されるように折りたたんだ状態である。
【００１８】
第２羽セクション１３０は第１主外壁セクション１１１と会う頂点から対角線方向の内部折曲線１９２に沿って自体重畳されるように畳まれて第１羽セクション１２０または第２主外壁セクション１１２と重畳されて補強壁を形成する。第４羽セクション１５０は第３主外壁セクション１１３と会う頂点から対角線方向の内部折曲線１９３に沿って自体重畳されるように畳まれて第３羽セクション１４０または第４主外壁セクション１１４と重畳されて補強壁を形成する。
【００１９】
図２は、本発明の第２実施例による正六面体箱作り用折り紙用紙２００を示した斜視図である。この実施例では主外壁部２１０とそれに付属した第１乃至第４羽セクション２２０、２３０、２４０、２５０は図１の第１実施例と等しく具備されているが、第１主外壁セクション２１１と第１羽セクション２２０に長さ方向に沿って付加的に延長された延長補強部２７０、２８０らがさらに含まれている。
【００２０】
第１延長補強部２７０は第１主外壁セクション２１１から長さ方向に連結されてそれに対して折曲可能な第１正面補強セクション２７１と、第１正面補強セクション２７１に横長方向両側に折曲可能に連結された第１羽補強セクション２７２でなされる。第１正面補強セクション２７１と第１羽補強セクション２７２は、正六面体箱４００の正面４２０及び側面４５０をそれぞれ補強する役割をする。
【００２１】
第２延長補強部２８０は第１延長補強部２７０に対して折曲可能になるように長さ方向に沿ってさらに延長されたものとして、第１正面補強セクション２７１に連接された第２正面補強セクション２８１と第２正面補強セクション２８１に対して横長方向両側に折曲可能に連結された第２羽補強セクション２８２を含む。第２正面補強セクション２８１は第１正面補強セクション２７１と第２羽補強セクション２８２は第１羽補強セクション２７２と重畳されて、正六面体箱４００の正面４２０と側面４５０を補強する。この時、第２羽補強セクション２８２は自体重畳されるように折りたたむか、または開かれた状態で第１羽補強セクション２７２と相互重畳される。
【００２２】
延長補強部２７０、２８０らは組み立てされた正六面体箱の補強のためのものとして選択的に採用可能であるので、単一の延長補強部２７０のみを適用するか、または必要によっては第３の延長補強部を追加することもできる。また、延長補強部２７０の延長長さは単位セクションの一辺の長さより短い長さにしても関係ない。
【００２３】
図３は、本発明の第２実施例による正六面体箱作り用折り紙用紙を利用して正六面体箱を作る過程を示した斜視図である。延長補強部２７０、２８０らを折る過程が加えられたことを除けば、第１実施例の折る過程と等しいので、第１実施例の折る過程に対しては別途の説明を略する。
【００２４】
先ず、長方形の正六面体箱作り用折り紙用紙２００を準備して、図３(a)に示されたように第２羽補強セクション２８２を対角線２９４に沿って内側に折った後、第２延長補強部２８０を第１延長補強部２７０に重畳させる(図３(ｂ)及び図３(ｃ))。続いて、第２羽補強セクション２８２と第１羽補強セクション２７２を重畳させて相互重なっている第２正面補強セクション２８１と第１正面補強セクション２７１に対して直交するように折って第１羽セクション２２０を折り紙用紙２００内面方向に対角線２９１に沿って折れば、図３(ｄ)のような姿になる。次に、図３(ｄ)と図３(ｆ)に示されたように第２羽セクション２３０を第２主外壁セクション２１２と垂直になるように折った後第２主外壁セクション２１２を第１主外壁セクション２１１に垂直になるように折る。この時、第２羽セクション２３０の対角線２９２は折り紙用紙２００内面を向けて折られて第２主外壁セクション２１２と重畳されるように畳まれる(図３(ｆ))。続いて図３(ｇ)及び図３(ｈ)に示されたように第３羽セクション２４０を第３主外壁セクション２１３と垂直になるように折って第４羽セクション２５０を折り紙用紙２００内面方向に対角線２９３に沿って折る。次は、図３(ｈ)及び図３(ｉ)に示されたように対角線２９３で畳まれた第４羽セクション２５０を第３羽セクション２４０と重畳されるように折る。続いて、図３(ｉ)及び図３(ｊ)に示されたように第４羽セクション２５０と重畳された第３羽セクション２４０を第１羽補強セクション２７２と重畳された第１羽セクション２２０を向けて挟みこむ。図３(ｋ)は前記の方法によって作られた正六面体箱４００の姿である。
【００２５】
図４は、本発明の第１乃至第３実施例によって折り紙用紙１００、２００で作られた正六面体箱４００を示した斜視図である。正六面体箱４００の外面には各種広告、デザイン、メッセージなどが印刷されて、正六面体箱４００の内面には子供たちの好奇心を刺激するか、または学習能力向上を助けることができる各種コンテンツを印刷することができる。前記のようなコンテンツは組み立て状態の正六面体箱４００でも持続的に露出されて広報効果を極大化する謝恩品になる広報物になる。また、前記のような折り紙用紙１００、２００は内面には内容物を説明するか、または情報伝達のための文句を印刷して、外面には製品広告用デザインや広報文句を印刷して物品を収容することができる包装容器になる。これにより消費者が物品封切り時に物品の説明や案内文を熟知することができるし、物品封切り後には貯金箱や他の物品の包装容器で活用可能であって、消費者の興味を誘発することだけではなくリサイクルが可能な物品包装容器になる。
【産業上の利用可能性】
【００２６】
以上説明したように、前述した本発明によれば、正六面体箱作り用折り紙用紙、折り紙貯金箱及び折り紙包装箱は別途の接着剤や道具を使わないで挟みこむ方式で使用者が容易に正六面体箱を製作することができて、用紙内に十分なコンテンツを載せることが可能で、組み立てされた正六面体箱は組み立て状態を長期間堅く維持することができる。
【符号の説明】
【００２７】
１００  折り紙用紙
１１０  主外壁部
１２０  第１羽セクション
１３０  第２羽セクション
１４０  第３羽セクション
１５０  第４羽セクション
１６０  切開線
２００  折り紙用紙
２１０  主外壁部
２２０  第１羽セクション
２３０  第２羽セクション
２４０  第３羽セクション
２５０  第４羽セクション
２６０  切開線
２７０  第１延長補強部
２８０  第２延長補強部
４００  正六面体箱
４１０  正六面体箱上面
４２０  正六面体箱正面
４３０  正六面体箱底面
４４０  正六面体箱背面
４５０  正六面体箱側面
【図１】
2017504539.tif 000003
【図２】
2017504539.tif 000004
【図３】
2017504539.tif 000005
【図４】
2017504539.tif 000006
【国際調査報告】
2017504539.tif 000007
2017504539.tif 000008
2017504539.tif 000009
2017504539.tif 000010